(57)【要約】      （修正有）【課題】ネイル施術の練習を効果的に行うことができるスタンドを提供する。【解決手段】ネイル施術練習用スタンドは、第一の物体３０に対して固定されることが可能な第一のクリップ１１と、第二の物体３１を固定することが可能な第二のクリップ１２と、第一のクリップと第二のクリップを接続する接続部１３を備え、第一のクリップの挟力が第二のクリップの挟力より大きい。実際に他人にネイル施術を施す場合の他人の手足と同様の位置にマネキンの手足を固定することができるので効果的な練習ができる。【選択図】図３
0003185307.tif 000002
【実用新案登録請求の範囲】
【請求項１】
第一の物体を挟んで前記第一の物体に対して固定されることが可能な第一のクリップと、
第二の物体を挟んで前記第二の物体を固定することが可能な第二のクリップと、
前記第一のクリップと前記第二のクリップを接続する接続部
を備え、
前記第一のクリップの挟力が前記第二のクリップの挟力より大きい、ネイル施術練習用スタンド。
【請求項２】
前記接続部がフレキシブル管である、請求項１に記載のネイル施術練習用スタンド。
【請求項３】
前記第一の物体が机であり、前記第二の物体がハンドマネキンである、請求項１又は２に記載のネイル施術練習用スタンド。
【考案の詳細な説明】
【技術分野】
【０００１】
本考案は、ネイルアート、ネイルケア等のネイル施術用の器具に関し、特に、ネイル施術練習用のスタンドに関する。
【背景技術】
【０００２】
現在、わが国においては、主に若い女性の間で手足の爪に化粧や装飾を施すネイルアートが流行している。職業として他人にネイルアートを施すには相当量の練習が必要であり、練習には自分自身の手足の爪に施術することや、ネイル練習シートと呼ばれる爪型のマークが記載されたシートやマネキンの手足の爪部分に施術することが一般的に行われている。
【０００３】
ネイルアートを練習としてマネキンの手足の爪部分に施術する場合、マネキンの手足を単に机上に置いて行ったのでは、実際の他人の手足に施術する場合と比較して施術者自身と相手の手足の位置関係が異なる上に、マネキンの手足の位置が不安定であって練習中に転がるなどして位置がずれてしまうという問題がある。そのため、一般にマネキンの手足を机上に置いて行ったネイルアートの練習は効率的でなく、マネキンの手足を使っていくら練習を行っても、実際の他人の手足に施術する場合には練習時と作業感覚が異なって上手く作業が出来ない可能性がある。
【０００４】
そこで、ネイルアートの練習をマネキンの手足を利用して行う場合に、実際に他人の手足にネイルアートを施す場合と同様の位置にマネキンの手足を固定する器具が求められている。また、ネイルアート以外のマニキュア塗布や爪のトリートメント等のネイルケアについても上述の問題があり、同様の器具が求められている。なお、説明の便宜上、本明細書においては、ネイルアート、ネイルケアなど、手足の爪に対する施術を総称して「ネイル施術」と呼ぶ。
【考案の開示】
【考案が解決しようとする課題】
【０００５】
本考案が解決しようとする課題は、ネイルアート、ネイルケア等のネイル施術の練習時に、実際に他人にネイル施術を施す場合の他人の手足と同様の位置にマネキンの手足を固定することによって、ネイルアートの練習を効果的に行うことである。
【課題を解決するための手段】
【０００６】
本考案によるネイル施術練習用スタンドは、第一の物体を挟んで前記第一の物体に対して固定されることが可能な第一のクリップと、第二の物体を挟んで前記第二の物体を固定することが可能な第二のクリップと、前記第一のクリップと前記第二のクリップを接続する接続部を備えており、前記第一のクリップの挟力が前記第二のクリップの挟力より大きいことにより、上記課題を解決する。
【０００７】
前記接続部はフレキシブル管であってもよい。また、前記第一の物体は机であり、前記第二の物体はハンドマネキンであってもよい。
【考案の効果】
【０００８】
本考案のネイル施術練習用スタンドによれば、ネイル施術の練習を行う施術者に対してマネキンの手足を任意の位置に固定することが可能である。これにより、実際に他人に対してネイル施術を行う場合の他人の手足と同様の位置にマネキンの手足を固定することができ、マネキンの手足が転がるといった従来のネイル施術の練習における問題を解消することができる。
【０００９】
本考案のネイル施術練習用スタンドと共にマネキンの手足を使用したネイル施術の練習は、マネキンの手足の固定により、従来の練習と比較して非常に効率的である。また、本考案のネイル施術練習用スタンドを使用してネイル施術の練習を行った施術者は、実際に他人の手足にネイル施術を施す場合であっても、練習時の施術対象と実際の施術対象の位置の違いに戸惑うことがない。そのため、本考案のネイル施術練習用スタンドを使用すれば、フォームの取り付けやピンチ入れなどのネイル施術の練習をより効果的に行うことができる。
【考案を実施するための最良の形態】
【００１０】
以下、図面を参照しながら本考案の実施の形態について説明する。
【実施例１】
【００１１】
図１は、本考案によるネイル施術練習用スタンド１０の外観を示す平面図である。ネイル施術練習用スタンド１０は、ネイル施術の練習のためにマネキンの手足にネイル施術を施す際に使用される器具である。ネイル施術練習用スタンド１０は、クリップ１１，１２と、クリップ１１，１２を接続する接続部１３を備えている。
【００１２】
クリップ１１，１２は市販の洗濯バサミやペーパークリップなどと同様に、人間の手の二本の指で二つの持ち手１４，１５をつまむことにより先端を開いて対象物を挟み、その後持ち手１４，１５から指を離すことによって、先端に対象物を挟んだ状態で固定することができる部材である。図１のネイル施術練習用スタンド１０が備えたクリップ１１，１２は、一般的な洗濯バサミと同様の形状及び構造を有しているが、クリップ１１，１２の形状及び構造はこれには限られず、物体を挟んで固定することができる任意の構造が用いられ得る。クリップ１１，１２の材質は、好適には合成樹脂、金属又はこれらの組み合わせであるが、これら以外にも木材など任意の材質が使用され得る。
【００１３】
接続部１３はクリップ１１，１２の両者を接続していると共に、クリップ１１，１２の位置関係を任意の状態にて固定することができる部材である。接続部１３は好適には合成樹脂又は金属製のフレキシブル管であり、その一部又は全体を任意の方向に曲げた状態で静止することができる。
【００１４】
図２は、本考案によるネイル施術練習用スタンド１０に含まれる一つのクリップ１１が開いた状態を示す平面図である。図１に示されたクリップ１１の状態から、クリップ１１の持ち手１４と持ち手１５の間の距離が狭まるように、持ち手１４，１５を人間の手の二本の指（好適には片手の人差し指と親指）でつまむことによって、持ち手１４，１５をそれぞれ含むクリップの部品１７，１８がそれぞれ中央部１６を軸に回転する。その結果、図２に示されるようにクリップの部品１７，１８の各先端１９，２０の間が開き、先端１９，２０間の距離ｄ以下の幅を有する物体を挟むことが可能になる。
【００１５】
先端１９，２０間に物体を挟んだ状態で持ち手１４，１５から指を離せば、クリップ１１は先端１９，２０間に物体を挟んだ状態で固定される。クリップ１１と先端１９，２０間に挟まれた物体の固定状態の安定性は、クリップ１１の挟力に依存する。クリップ１１が図１及び図２のような洗濯バサミ型の器具である場合には、クリップ１１の挟力はクリップ１１が備えたバネの力により決まることになる。
【００１６】
図１のネイル施術練習用スタンド１０が備えたクリップ１２についても、図２のクリップ１１と同様の作用により物体を挟んで固定することができる。但し、クリップ１１の先端間の挟力とクリップ１２の先端間の挟力は異なっており、クリップ１１の先端間の挟力の方が、クリップ１２の先端間の挟力よりも大きい。これは、後述するようにクリップ１１とクリップ１２では挟む対象の物体が異なり、かつ支持する重量が異なることによるものである。
【００１７】
図３は、本考案によるネイル施術練習用スタンド１０を使用して机３０に対してハンドマネキン３１の位置を固定した場合を示す斜視図である。図３は、ネイル施術の練習を行う施術者の視点から描かれているが、施術者自身は図示されていない。また、図面の簡略化のため、ネイル施術練習用スタンド１０が取り付けられる下辺以外の机３０の部分は図示を省略している。図３においては、マネキンの手であるハンドマネキン３１が固定されているが、ネイル施術練習用スタンド１０によってマネキンの足（フットマネキン）を固定することも可能である。また、机３０に代えて、クリップ１１によって挟むことが可能な任意の安定した作業台を使用することも可能である。
【００１８】
図３においては、ネイル施術練習用スタンド１０はクリップ１１の先端を机３０の一端に挟んだ状態で固定し、一方でクリップ１２の先端をハンドマネキン３１の掌及び手の甲を挟んだ状態で固定している。このように、クリップ１１はネイル施術練習用スタンド１０全体の重量とハンドマネキン３１の重量を支えて机３０に固定される必要があり、ハンドマネキン３１の位置調整のために接続部１３の各部を曲げる際にも机３０に確実に固定されている必要があるため、クリップ１１の先端は大きな挟力を有している。一方、クリップ１２はハンドマネキン３１の重量のみを支えればよく、ネイル施術の練習においてはハンドマネキン３１を脱着することが頻繁にあるため、片手により容易に取り外しができるように、クリップ１２の先端は小さな挟力しか有していない。
【００１９】
クリップ１１の先端の挟力とクリップ１２の先端の挟力は、ネイル施術練習用スタンド１０全体の重量や実際の使用感を考慮して定められる。但し、クリップ１１は机に対して固定される必要があってクリップ１２が支持する重量より大きな重量を支持しなければならないため、必ずクリップ１１の先端の挟力はクリップ１２の先端の挟力より大きい。
【００２０】
ハンドマネキン３１の位置は、ネイル施術の練習を行う施術者にとって作業しやすい位置、あるいは施術者が実際に他人にネイル施術を施す際に他人の手が存在すると想定される位置となるように、接続部１３の各部を曲げることによって調整される。これにより、机３０とハンドマネキン３１の位置関係は、ハンドマネキン３１の位置が施術者の所望の位置となった状態にて固定されていると言える。前記状態においては、施術者がハンドマネキン３１に対して通常のネイル施術を行う限りでは、ハンドマネキン３１の位置が動くことはない。
【００２１】
図３の例では、ネイル施術の練習を行う施術者は、ハンドマネキン３１の中指の爪部分３２に対してネイル施術を行うことになるが、ハンドマネキン３１が柔軟な材質であれば、ハンドマネキン３１の各指を曲げ伸ばしすることによってハンドマネキン３１の各指の爪部分に対してネイル施術を行うことが可能である。その際に、施術者は接続部１３の各部の曲げ方を調整することによって、ハンドマネキン３１の位置を所望の位置に変更することも可能である。
【産業上の利用可能性】
【００２２】
本考案は、クリップによる位置関係の固定が可能な各種の分野に適用することができる。例えば、机に対して作業用の小さな板の位置を固定する場合や、本棚に対して小物入れの位置を固定する場合に利用することが考えられる。
【図面の簡単な説明】
【００２３】
【図１】本考案によるネイル施術練習用スタンドの外観を示す平面図である。
【図２】本考案によるネイル施術練習用スタンドに含まれる一つのクリップが開いた状態を示す平面図である。
【図３】本考案によるネイル施術練習用スタンドを使用して机に対してハンドマネキンの位置を固定した場合を示す斜視図である。
【符号の説明】
【００２４】
１０  ネイル施術練習用スタンド
１１，１２  クリップ
１３  接続部
１４，１５  持ち手
１６  中央部
１７，１８  部品
１９，２０  先端
３０  机
３１  ハンドマネキン
３２  爪部分
【図１】
0003185307.tif 000003
【図２】
0003185307.tif 000004
【図３】
0003185307.tif 000005